(57)【要約】【課題】簡易な構造で、容易に発光による良好な美観を呈することができ、かつ製造コストの上昇を抑制可能な便座装置を提供する。【解決手段】便座装置１は、洋風水洗式の便器９に固定される本体１０と、本体１０に揺動可能に設けられ、便器９上で下方に揺動して人が着座可能な便座２０と、本体１０又は便座２０に揺動可能に設けられ、便器９上で下方に揺動して閉じた状態とされる便蓋３０とを備える。  便蓋３０は、表面側全体に設けられた透光材料からなる表面側透光部３３と、表面側透光部３３の縁部の本体１０側の後端３９に埋設され、本体１０から給電されることにより発光して表面側透光部３３内を照射可能なＬＥＤからなる表面側照射光源３４とを有している。また、便蓋３０は、表面側透光部３３の裏面側全体に設けられた不透光材料からなる不透光部３５を有している【選択図】図５
2007319243.tif 000002
【特許請求の範囲】
【請求項１】
洋風水洗式の便器に固定される本体と、該本体に揺動可能に設けられ、該便器上で下方に揺動して人が着座可能な便座と、該本体又は該便座に揺動可能に設けられ、該便器上で下方に揺動して閉じた状態とされる便蓋とを備えた便座装置において、
前記便座及び前記便蓋の少なくとも一方の部材は、表面側全体に設けられた透光材料からなる表面側透光部と、該表面側透光部の縁部に埋設され、前記本体から給電されることにより発光して該表面側透光部内を照射可能なＬＥＤからなる表面側照射光源とを有していることを特徴とする便座装置。
【請求項２】
前記部材は、前記表面側透光部の裏面側全体に設けられた不透光材料からなる不透光部を有している請求項１記載の便座装置。
【請求項３】
前記表面側透光部と前記不透光部との界面は光拡散処理されている請求項２記載の便座装置。
【請求項４】
洋風水洗式の便器に固定される本体と、該本体に揺動可能に設けられ、該便器上で下方に揺動して人が着座可能な便座と、該本体又は該便座に揺動可能に設けられ、該便器上で下方に揺動して閉じた状態とされる便蓋とを備えた便座装置において、
前記便座及び前記便蓋の少なくとも一方の部材は、裏面側全体に設けられた透光材料からなる裏面側透光部と、該裏面側透光部の縁部に埋設され、前記本体から給電されることにより発光して該裏面側透光部内を照射可能なＬＥＤからなる裏面側照射光源とを有していることを特徴とする便座装置。
【請求項５】
前記部材は、前記裏面側透光部の表面側全体に設けられた不透光材料からなる不透光部を有している請求項４記載の便座装置。
【請求項６】
前記不透光部と前記裏面側透光部との界面は光拡散処理されている請求項５記載の便座装置。
【請求項７】
請求項５又は６記載の便座装置でもある請求項２又は３記載の便座装置。
【請求項８】
前記不透光部は、前記表面側透光部の裏面側全体に設けられた不透光材料からなる第１不透光部と、該第１不透光部の裏面側全体に設けられ、該第１不透光部とは異なる色の不透光材料からなる第２不透光部とからなる請求項７記載の便座装置。
【請求項９】
前記表面側照射光源及び前記裏面側照射光源は、一つの光源からなる請求項７又は８記載の便座装置。
【請求項１０】
前記表面側照射光源及び／又は前記裏面側照射光源は、前記本体側である後端に設けられている請求項１乃至９のいずれか１項記載の便座装置。
【請求項１１】
前記透光材料は乳色である請求項１乃至１０のいずれか１項記載の便座装置。
【請求項１２】
前記表面側照射光源及び／又は前記裏面側照射光源は電磁誘導によって給電されるものである請求項１乃至１１のいずれか１項記載の便座装置。
【発明の詳細な説明】
【技術分野】
【０００１】
本発明は便座装置に関する。
【背景技術】
【０００２】
特許文献１の図８及び図９に従来の便座装置が開示されている。この便座装置は、洋風水洗式の便器に固定される本体と、本体に揺動可能に設けられ、便器上で下方に揺動して人が着座可能な便座と、本体又は便座に揺動可能に設けられ、便器上で下方に揺動して閉じた状態とされる便蓋とを備える。
【０００３】
本体、便座又は便蓋は、内部透視構造であるスケルトン構造とされ、内部に光源としてのＬＥＤが埋設されている。
【０００４】
このような構成である従来の便座装置は、便器に固定されて便座及び便蓋としての機能を発揮することに加え、スケルトン構造とされた本体、便座又は便蓋がＬＥＤの発光により光って、良好な美観を呈する。
【０００５】
【特許文献１】特開２００１−１２０４４８号公報
【発明の開示】
【発明が解決しようとする課題】
【０００６】
しかし、上記従来の便座装置は、良好な美観のために便座又は便蓋を十分に発光させようとする場合、多数のＬＥＤを便座又は便蓋に埋設しなければならず、製造コストが増加する傾向にある。
【０００７】
これに対して、特開平９ー１４０６３３号公報開示の便座装置は、光源が便座又は便蓋に埋設されておらず、離れた光源から光ファイバーを介したり、照射したりすることにより便座又は便蓋の端面から光を導入し、便座又は便蓋の全体を光らせるものである。この場合、多数の光源を便座又は便蓋に埋設する必要がないことから、製造コストの低廉化を実現可能である。
【０００８】
しかしながら、この便座装置では、離れた光源から光ファイバーを介して光を導入する場合、光ファイバーの分だけ材料コストが増加することに加えて、便座又は便蓋の開閉により光ファイバーが破損する不具合が生じるおそれがある。また、この便座装置では、離れた光源から照射して光を導入する場合、便座又は便蓋が開いた状態では、光の導入経路が断たれてしまい、便座又は便蓋が閉じた状態のときしか、便座又は便蓋を光らせることができない。
【０００９】
本発明は、上記従来の実情に鑑みてなされたものであって、簡易な構造で、容易に発光による良好な美観を呈することができ、かつ製造コストの上昇を抑制可能な便座装置を提供することを解決すべき課題としている。
【課題を解決するための手段】
【００１０】
第１発明の便座装置は、洋風水洗式の便器に固定される本体と、該本体に揺動可能に設けられ、該便器上で下方に揺動して人が着座可能な便座と、該本体又は該便座に揺動可能に設けられ、該便器上で下方に揺動して閉じた状態とされる便蓋とを備えた便座装置において、
前記便座及び前記便蓋の少なくとも一方の部材は、表面側全体に設けられた透光材料からなる表面側透光部と、該表面側透光部の縁部に埋設され、前記本体から給電されることにより発光して該表面側透光部内を照射可能なＬＥＤからなる表面側照射光源とを有していることを特徴とする。
【００１１】
このような構成である第１発明の便座装置は、便器に固定されて便座及び便蓋としての機能を発揮する。
【００１２】
そして、この便座装置では、表面側透光部の縁部に埋設されたＬＥＤからなる表面側照射光源が本体から給電されることにより発光し、表面側透光部内を照射する。このため、この便座装置は、必ずしも多数のＬＥＤを便座又は便蓋に埋設しなくても、表面側透光部の全体が発光し、良好な美観を呈することができる。また、この便座装置は、必ずしも多数のＬＥＤを埋設する必要がないことから、製造コストを抑制することができる。
【００１３】
また、この便座装置は、光ファイバーを使用していないので、光ファイバーの分の材料コストの増加も生じず、便座又は便蓋の開閉により光ファイバーが破損する不具合も生じない。
【００１４】
さらに、この便座装置では、ＬＥＤからなる表面側照射光源が便座又は便蓋に設けられた表面側透光部の縁部に埋設されていることから、便座又は便蓋が開いていても、閉じていても、表面側透光部の全体を光らせることができる。
【００１５】
したがって、第１発明の便座装置は、簡易な構造で、容易に発光による良好な美観を呈することができ、かつ製造コストの上昇を抑制可能である。
【００１６】
表面側透光部を構成する透光材料としては、透明ＡＢＳ樹脂、環状オレフィンコポリマー樹脂、ＡＳ樹脂、アクリル樹脂、ポリカーボネート樹脂、ポリサルホン樹脂、その他透明樹脂材料、ソーダガラス、鉛ガラス等の無機ガラス材料、その他の一般的なものを採用することができる。無色透明であってもよく、有色透明であってもよい。
【００１７】
表面側照射光源を構成するＬＥＤは、少なくとも可視光を発するものであればよく、可視光とともに、赤外線又は紫外線を発するものであってもよい。また、表面側照射光源を構成するＬＥＤは１つに限定されない。
【００１８】
第１発明の便座装置において、前記部材は、前記表面側透光部の裏面側全体に設けられた不透光材料からなる不透光部を有していることが好ましい。
【００１９】
この場合、表面側照射光源から表面側透光部内に照射された光が不透光部で遮られて裏面側に伝わらない。このため、この便座装置は、より効果的に表面側透光部の全体を光らせることができる。また、不透光部の色彩が表面側透光部に表示され、便座又は便蓋が閉じた状態において、優れた美観を呈する。さらに、不透光部が存在しない場合には、便座又は便蓋が閉じた状態において、視線の先の便座又は便器が透けることとなるが、不透光部の存在によりそのようなことを回避することができ、この点においても優れた美観を呈することができる。
【００２０】
第１発明の便座装置において、前記表面側透光部と前記不透光部との界面は光拡散処理されていることが好ましい。
【００２１】
この場合、表面側照射光源から表面側透光部内に照射された光が表面側透光部と不透光部との界面で光拡散され、表面側透光部の全体により確実に行き渡る。このため、この便座装置は、より効果的に表面側透光部の全体を光らせることができる。光拡散処理としては、界面を微小な凹凸からなる粗面とする粗面化を採用することができる。
【００２２】
第２発明の便座装置は、洋風水洗式の便器に固定される本体と、該本体に揺動可能に設けられ、該便器上で下方に揺動して人が着座可能な便座と、該本体又は該便座に揺動可能に設けられ、該便器上で下方に揺動して閉じた状態とされる便蓋とを備えた便座装置において、
前記便座及び前記便蓋の少なくとも一方の部材は、裏面側全体に設けられた透光材料からなる裏面側透光部と、該裏面側透光部の縁部に埋設され、前記本体から給電されることにより発光して該裏面側透光部内を照射可能なＬＥＤからなる裏面側照射光源とを有していることを特徴とする。
【００２３】
このような構成である第２発明の便座装置も、便器に固定されて便座及び便蓋としての機能を発揮する。
【００２４】
そして、この便座装置では、裏面側透光部の縁部に埋設されたＬＥＤからなる裏面側照射光源が本体から給電されることにより発光し、裏面側透光部内を照射する。このため、この便座装置は、必ずしも多数のＬＥＤを便座又は便蓋に埋設しなくても、裏面側透光部の全体が発光し、良好な美観を呈することができる。また、この便座装置も、必ずしも多数のＬＥＤを埋設する必要がないことから、製造コストを抑制することができる。
【００２５】
また、この便座装置も、光ファイバーを使用していないので、光ファイバーの分の材料コストの増加も生じず、便座又は便蓋の開閉により光ファイバーが破損する不具合が生じない。
【００２６】
さらに、この便座装置でも、ＬＥＤからなる裏面側照射光源が便座又は便蓋に設けられた裏面側透光部の縁部に埋設されていることから、便座又は便蓋が開いていても、閉じていても、裏面側透光部の全体を光らせることができる。
【００２７】
したがって、第２発明の便座装置も、簡易な構造で、容易に発光による良好な美観を呈することができ、かつ製造コストの上昇を抑制可能である。
【００２８】
裏面側透光部を構成する透光材料としては、上述の表面側透光部を構成する透光材料と同様のものを採用することができる。
【００２９】
裏面側照射光源を構成するＬＥＤは、上述の表面側照射光源を構成するＬＥＤと同様のものを採用することができる。また、裏面側照射光源を構成するＬＥＤも１つに限定されない。
【００３０】
第２発明の便座装置において、前記部材は、前記裏面側透光部の表面側全体に設けられた不透光材料からなる不透光部を有していることが好ましい。
【００３１】
この場合、裏面側照射光源から裏面側透光部内に照射された光が不透光部で遮られて表面側に伝わらない。このため、この便座装置は、より効果的に裏面側透光部の全体を光らせることができる。また、不透光部の色彩が裏面側透光部に表示され、便座又は便蓋が開いた状態において、優れた美観を呈する。さらに、不透光部が存在しない場合には、便座又は便蓋が開いた状態において、視線の先の壁等が透けることとなるが、不透光部の存在によりそのようなことを回避することができ、この点においても優れた美観を呈することができる。
【００３２】
第２発明の便座装置において、前記不透光部と前記裏面側透光部との界面は光拡散処理されていることが好ましい。
【００３３】
この場合、裏面側照射光源から裏面側透光部内に照射された光が裏面側透光部と不透光部との界面で光拡散され、裏面側透光部の全体により確実に行き渡る。このため、この便座装置は、より効果的に裏面側透光部の全体を光らせることができる。光拡散処理としては、第１発明と同様、界面を微小な凹凸からなる粗面とする粗面化を採用することができる。
【００３４】
第３発明の便座装置は、不透光部を有する第１発明と不透光部を有する第２発明とを組み合わせたものである。すなわち、この便座装置は、第１発明の便座装置であって、前記部材が前記表面側透光部の裏面側全体に設けられた不透光材料からなる不透光部を有するものであり、かつ第２発明の便座装置であって、前記部材が前記裏面側透光部の表面側全体に設けられた不透光材料からなる不透光部を有するものである。
【００３５】
この場合、この便座装置は、便座及び便蓋の少なくとも一方の部材が表面側透光部と、不透光部と、裏面側透光部とを有するものである。そして、この便座装置は、表面側透光部及び裏面側透光部の全体をそれぞれ光らせて、一層良好な美観を呈することができる。
【００３６】
第３発明の便座装置において、前記不透光部は、前記表面側透光部の裏面側全体に設けられた不透光材料からなる第１不透光部と、該第１不透光部の裏面側全体に設けられ、該第１不透光部とは異なる色の不透光材料からなる第２不透光部とからなり得る。
【００３７】
この場合、不透光部を表面側と裏面側とで色違いにすることができる。このため、この便座装置は、一層良好な美観を呈することができる。
【００３８】
第３発明の便座装置において、前記表面側照射光源及び前記裏面側照射光源は、一つの光源からなり得る。
【００３９】
この場合、表面側照射光源及び裏面側照射光源を共通化して、部品点数を削減することができ、製造コストの低廉化が可能となる。
【００４０】
第１〜３発明の便座装置において、前記表面側照射光源及び／又は前記裏面側照射光源は、前記本体側である後端に設けられていることが好ましい。
【００４１】
この場合、表面側照射光源及び／又は裏面側照射光源と、表面側照射光源及び／又は裏面側照射光源に給電する本体との距離を短くすることができ、便座装置の簡略化と製造コストの低廉化とが可能となる。
【００４２】
第１〜３発明の便座装置において、前記透光材料は乳色であることが好ましい。
【００４３】
この場合、表面側透光部及び／又は裏面側透光部の全体をほのかに光らせることができ、使用者に良好な印象を与えることができる。乳色は乳白色の他、白色以外の色と乳色との混合色であり得る。
【００４４】
第１〜３発明の便座装置において、前記表面側照射光源及び／又は前記裏面側照射光源は電磁誘導によって給電されるものであり得る。
【００４５】
この場合、非接触給電により、本体から表面側照射光源及び／又は裏面側照射光源に直接給電するための配線が不要となるので、便座及び便蓋の開閉機構を簡易な構造とすることができる。例えば、便座内に設けられる暖房用ヒータのコイルを電磁誘導のための１次コイルとして採用することも可能である。
【発明を実施するための最良の形態】
【００４６】
以下、本発明を具体化した実施例１〜７を図面を参照しつつ説明する。
【実施例１】
【００４７】
図１〜図３に示すように、実施例１の便座装置１は、洋風水洗式の便器９に固定される本体１０と、本体１０に揺動可能に設けられ、便器９上で下方に揺動して人が着座可能な便座２０と、本体１０又は便座２０に揺動可能に設けられ、便器９上で下方に揺動して閉じた状態とされる便蓋３０とを備える。
【００４８】
より詳しくは、本体１０は、便器９の後方に設置される水洗タンク（図示しない）を覆うタンクカバー１１とタンクカバー１１の前面下方に設けられた便座便蓋軸支部１２とを有する。
【００４９】
便座２０は、中央に開口２１を有し、後方に一対の便座支持部２２を有している。便座支持部２２は、便座便蓋軸支部１２の両側面に向けて突出するように形成され、便座便蓋軸支部１２に揺動可能に軸支されている。
【００５０】
便蓋３０は、閉じた状態で便座２０の全体を上方から覆う形状とされ、後方に一対の便蓋支持部３２を有している。便蓋支持部３２も、便座支持部２２と同様に便座便蓋軸支部１２の両側面に向けて突出するように形成され、便座便蓋支持部１２に揺動可能に軸支されている。
【００５１】
また、便蓋３０は、図４及び図５に示すように、表面側全体に設けられた透光材料からなる表面側透光部３３と、表面側透光部３３の縁部の本体１０側の後端３９に埋設された３個のＬＥＤからなる表面側照射光源３４とを有している。表面側透光部３３を構成する透光材料は、乳白色に着色された透明の例えばＡＢＳ樹脂である。表面側照射光源３４は、図３に示すように、配線１６によって本体１０に内蔵された電源回路１５と電気的に接続されている。このため、表面側照射光源３４は、本体１０の電源回路１５から給電されることにより発光して表面側透光部３３内を照射可能とされている。なお、配線１６は、便蓋３０の揺動を妨げないように、便蓋支持部３２及び支持軸１３の内部を経由して配設されている。
【００５２】
さらに、便蓋３０は、表面側透光部３３の裏面側全体に設けられた不透光材料からなる不透光部３５を有している。不透光部３５を構成する不透光材料は、一般に着色されたＡＢＳ等の不透明な樹脂材料、マイカ等のパール顔料若しくは金属箔粉顔料で着色された光輝性をもつ不透明な材料である。
【００５３】
そして、不透光部３５の表面側には、微小な凹凸からなる粗面３８が形成されている。表面側透光部３３と不透光部３５との界面は、この粗面３８によって光拡散処理されている。なお、表面側透光部３３と不透光部３５とは、二色成形により一体成形される。
【００５４】
このような構成である実施例１の便座装置１は、便器９に固定されて便座２０及び便蓋３０としての機能を発揮する。そして、この便座装置１では、図６に示す便蓋３０が閉じた状態及び図７に示す便蓋３０が開いた状態において、表面側透光部３３の縁部に埋設されたＬＥＤからなる表面側照射光源３４が本体１０から給電されることにより発光し、図５に示すように、表面側透光部３３内を照射する。このため、この便座装置１は、必ずしも多数のＬＥＤを便座２０又は便蓋３０に埋設しなくても、表面側透光部３３の全体が発光し、良好な美観を呈することができている。また、この便座装置１は、必ずしも多数のＬＥＤを埋設する必要がないことから、製造コストを抑制することができている。
【００５５】
また、この便座装置１は、光ファイバーを使用していないので、光ファイバーの分の材料コストの増加も生じず、便座２０又は便蓋３０の開閉により光ファイバーが破損する不具合も生じない。
【００５６】
さらに、この便座装置１では、ＬＥＤからなる表面側照射光源３４が便蓋３０に設けられた表面側透光部３３の縁部に埋設されていることから、便蓋３０が開いていても、閉じていても、表面側透光部３３の全体を光らせることができている。
【００５７】
したがって、実施例１の便座装置１は、簡易な構造で、容易に発光による良好な美観を呈することができており、かつ製造コストの上昇を抑制可能である。
【００５８】
また、この便座装置１において、便蓋３０は、表面側透光部３３の裏面側全体に設けられた不透光材料からなる不透光部３５を有していることから、表面側照射光源３４から表面側透光部３３内に照射された光が不透光部３５で遮られて裏面側に伝わらない。このため、この便座装置１は、より効果的に表面側透光部３３の全体を光らせることができている。また、不透光部３５の色彩が表面側透光部３３に表示され、便蓋３０が閉じた状態において、優れた美観を呈する。さらに、不透光部３５が存在しない場合には、便蓋３０が閉じた状態において、視線の先の便座２０又は便器９が透けることとなるが、不透光部３５の存在によりそのようなことを回避することができており、この点においても優れた美観を呈することができている。
【００５９】
さらに、この便座装置１において、表面側透光部３３と不透光部３５との界面は粗面３８により光拡散処理されていることから、表面側照射光源３４から表面側透光部３３内に照射された光が表面側透光部３３と不透光部３５との界面で光拡散され、表面側透光部３３の全体により確実に行き渡る。このため、この便座装置１は、より効果的に表面側透光部３３の全体を光らせることができている。
【００６０】
また、この便座装置１において、表面側照射光源３４は、本体１０側である後端３９に設けられていることから、表面側照射光源３４と、表面側照射光源３４に給電する本体１０との距離を短くすることができており、便座装置の簡略化と製造コストの低廉化とが可能となっている。
【００６１】
さらに、この便座装置１において、表面側透光部３３を構成する透光材料が乳白色であることから、表面側透光部３３の全体をほのかに光らせることができ、使用者に良好な印象を与えることができている。
【実施例２】
【００６２】
図８〜図１０に示すように、実施例２の便座装置２は、実施例１の便座装置１における便蓋３０の代わりに、便蓋２３０を採用している。その他の構成は、実施例１の便座装置１と同様であるので、説明は省く。
【００６３】
便蓋２３０は、図８に示すように、裏面側全体に設けられた透光材料からなる裏面側透光部２３３と、裏面側透光部２３３の縁部の本体１０側の後端２３９に埋設された３個のＬＥＤからなる裏面側照射光源２３４とを有している。裏面側照射光源２３４を構成するＬＥＤの一部は、紫外線を照射可能なＵＶ−ＬＥＤである。裏面側透光部２３３を構成する透光材料は、透明ＡＢＳ樹脂、環状オレフィンコポリマー樹脂、ＡＳ樹脂、アクリル樹脂、ポリカーボネート樹脂、ポリサルホン樹脂、その他透明樹脂材料、ソーダガラス、鉛ガラス等の無機ガラス材料、その他の一般的なものを採用することができる。無色透明であってもよく、有色透明であってもよい。裏面側照射光源２３４も、実施例１の便座装置１と同様の構成により、本体１０に内蔵された電源回路１５と電気的に接続されている。このため、裏面側照射光源２３４は、本体１０の電源回路１５から給電されることにより発光して裏面側透光部２３３内を照射可能とされている。
【００６４】
さらに、便蓋２３０は、裏面側透光部２３３の表面側全体に設けられた不透光材料からなる不透光部２３５を有している。不透光部２３５を構成する不透光材料は、一般に着色されたＡＢＳ等の不透明な樹脂材料、マイカ等のパール顔料若しくは金属箔粉顔料で着色された光輝性をもつ不透明な材料である。
【００６５】
そして、不透光部２３５との裏面側には、微小な凹凸からなる粗面２３８が形成されている。裏面側透光部２３３と不透光部２３５との界面は、この粗面２３８によって光拡散処理されている。
【００６６】
このような構成である実施例２の便座装置２も、便器９に固定されて便座２０及び便蓋２３０としての機能を発揮する。そして、この便座装置２では、図９に示す便蓋２３０が閉じた状態及び図１０に示す便蓋２３０が開いた状態において、裏面側透光部２３３の縁部に埋設されたＬＥＤからなる裏面側照射光源２３４が本体１０から給電されることにより発光し、裏面側透光部２３３内を照射する。このため、この便座装置２も、実施例１の便座装置１と同様の作用効果を奏することができている。
【００６７】
また、この便座装置２において、便蓋２３０は、裏面側透光部２３３の表面側全体に設けられた不透光材料からなる不透光部２３５を有していることから、裏面側照射光源２３４から裏面側透光部２３３内に照射された光が不透光部２３５で遮られて表面側に伝わらない。このため、この便座装置２も、より効果的に裏面側透光部２３３の全体を光らせることができている。また、不透光部２３５の色彩が裏面側透光部２３３に表示され、便蓋２３０が開いた状態において、優れた美観を呈することができている。さらに、不透光部２３５が存在しない場合には、便蓋２３０が開いた状態において、視線の先の壁等が透けることとなるが、不透光部２３５の存在によりそのようなことを回避することができ、この点においても優れた美観を呈することができている。
【００６８】
さらに、この便座装置２において、裏面側透光部２３３と不透光部２３５との界面は粗面２３８により光拡散処理されていることから、裏面側照射光源２３４から裏面側透光部２３３内に照射された光が裏面側透光部２３３と不透光部２３５との界面で光拡散され、裏面側透光部２３３の全体により確実に行き渡る。このため、この便座装置２も、より効果的に裏面側透光部２３３の全体を光らせることができている。
【００６９】
また、この便座装置２において、裏面側照射光源２３４は、紫外線も照射可能であることから、図９に示す便蓋２３０が閉じた状態で、便座２０及び便器９に紫外線を照射することができる。このため、この便座装置２は、紫外線による殺菌効果により、便座２０及び便器９を清潔に保ち易くなっている。
【実施例３】
【００７０】
図５及び図１１に示すように、実施例３の便座装置３は、実施例１の便座装置１における便蓋３０と同様の構成を有する便座３２０を採用している。その他の構成は、実施例１の便座装置１と同様であるので、説明は省く。
【００７１】
図５に示すように、便座３２０は、表面側全体に設けられた透光材料からなる表面側透光部３３３と、表面側透光部３３３の縁部の本体１０側の後端３３９に埋設された３個のＬＥＤからなる表面側照射光源３３４とを有している。表面側透光部３３３を構成する透光材料は、透明ＡＢＳ樹脂、環状オレフィンコポリマー樹脂、ＡＳ樹脂、アクリル樹脂、ポリカーボネート樹脂、ポリサルホン樹脂、その他透明樹脂材料、ソーダガラス、鉛ガラス等の無機ガラス材料、その他の一般的なものを採用することができる。無色透明であってもよく、有色透明であってもよい。表面側照射光源３３４も、実施例１の便座装置１と同様の構成により、本体１０に内蔵された電源回路１５と電気的に接続されている。このため、表面側照射光源３３４は、本体１０の電源回路１５から給電されることにより発光して表面側透光部３３３内を照射可能とされている。
【００７２】
さらに、便座３２０は、表面側透光部３３３の裏面側全体に設けられた不透光材料からなる不透光部３３５を有している。不透光部３３５を構成する不透光材料は、一般に着色されたＡＢＳ等の不透明な樹脂材料、マイカ等のパール顔料若しくは金属箔粉顔料で着色された光輝性をもつ不透明な材料である。
【００７３】
そして、不透光部３３５との表面側には、微小な凹凸からなる粗面３３８が形成されている。表面側透光部３３３と不透光部３３５との界面は、この粗面３３８によって光拡散処理されている。
【００７４】
このような構成である実施例３の便座装置３も、便器９に固定されて便座３２０及び便蓋３０としての機能を発揮する。そして、この便座装置３では、図１１に示す便座３２０が閉じた状態及び便座３２０が開いた状態（図示しない）において、表面側透光部３３３の縁部に埋設されたＬＥＤからなる表面側照射光源３３４が本体１０から給電されることにより発光し、表面側透光部３３３内を照射する。このため、この便座装置３も、実施例１の便座装置１と同様の作用効果を奏することができている。
【実施例４】
【００７５】
図１２に示すように、実施例４の便座装置は、実施例１の便座装置１における便蓋３０の代わりに、便蓋４３０を採用している。その他の構成は、実施例１の便座装置１と同様であるので、説明は省く。
【００７６】
便蓋４３０は、表面側全体に設けられた透光材料からなる表面側透光部４３３ｍと、表面側透光部４３３ｍの縁部の本体１０側の後端４３９ｍに埋設された３個のＬＥＤからなる表面側照射光源４３４ｍとを有している。表面側透光部４３３ｍを構成する透光材料は、透明ＡＢＳ樹脂、環状オレフィンコポリマー樹脂、ＡＳ樹脂、アクリル樹脂、ポリカーボネート樹脂、ポリサルホン樹脂、その他透明樹脂材料、ソーダガラス、鉛ガラス等の無機ガラス材料、その他の一般的なものを採用することができる。無色透明であってもよく、有色透明であってもよい。表面側照射光源４３４ｍも、実施例１の便座装置１と同様の構成により、本体１０に内蔵された電源回路１５と電気的に接続されている。このため、表面側照射光源４３４ｍは、本体１０の電源回路１５から給電されることにより発光して表面側透光部４３３ｍ内を照射可能とされている。
【００７７】
また、便蓋４３０は、裏面側全体に設けられた透光材料からなる裏面側透光部４３３ｎと、裏面側透光部４３３ｎの縁部の本体１０側の後端４３９ｎに埋設された３個のＬＥＤからなる裏面側照射光源４３４ｎとを有している。裏面側透光部４３３ｎを構成する透光材料は、透明ＡＢＳ樹脂、環状オレフィンコポリマー樹脂、ＡＳ樹脂、アクリル樹脂、ポリカーボネート樹脂、ポリサルホン樹脂、その他透明樹脂材料、ソーダガラス、鉛ガラス等の無機ガラス材料、その他の一般的なものを採用することができる。無色透明であってもよく、有色透明であってもよい。裏面側照射光源４３４ｎも、実施例１の便座装置１と同様の構成により、本体１０に内蔵された電源回路１５と電気的に接続されている。このため、裏面側照射光源４３４ｎも、本体１０の電源回路１５から給電されることにより発光して裏面側透光部４３３ｎ内を照射可能とされている。
【００７８】
さらに、便蓋４３０は、表面側透光部４３３ｍの裏面側全体であって、かつ裏面側透光部４３３ｎの表面側全体、すなわち、表面側透光部４３３ｍと裏面側透光部４３３ｎとの中間層に設けられた不透光材料からなる不透光部４３５を有している。
【００７９】
不透光部４３５は、さらに、表面側透光部４３３ｍの裏面側全体に設けられた不透光材料からなる第１不透光部４３５ｍと、第１不透光部４３５ｍの裏面側全体に設けられ、第１不透光部４３５ｍとは異なる色の不透光材料からなる第２不透光部４３５ｎとからなる。
【００８０】
第１不透光部４３５ｍを構成する不透光材料は、一般に着色されたＡＢＳ等の不透明な樹脂材料、マイカ等のパール顔料若しくは金属箔粉顔料で着色された光輝性をもつ不透明な材料である。
【００８１】
そして、第１不透光部４３５ｍとの表面側には、微小な凹凸からなる粗面４３８ｍが形成されている。表面側透光部４３３ｍと第１不透光部４３５ｍとの界面は、この粗面４３８ｍによって光拡散処理されている。
【００８２】
第２不透光部４３５ｎを構成する不透光材料は、一般に着色されたＡＢＳ等の不透明な樹脂材料、マイカ等のパール顔料若しくは金属箔粉顔料で着色された光輝性をもつ不透明な材料である。そして、第２不透光部４３５ｎは、第１不透光部４３５ｍとは異なる色に着色されている。
【００８３】
そして、第２不透光部４３５ｎとの裏面側には、微小な凹凸からなる粗面４３８ｎが形成されている。裏面側透光部４３３ｎと第２不透光部４３５ｎとの界面は、この粗面４３８ｎによって光拡散処理されている。
【００８４】
このような構成である実施例４の便座装置も、実施例１の便座装置１と同様の作用効果を奏することができている。
【００８５】
また、この便座装置は、便蓋４３０が表面側透光部４３３ｍと、不透光部４３５と、裏面側透光部４３３ｎとを有することから、表面側透光部４３３ｍ及び裏面側透光部４３３ｎの全体をそれぞれ光らせることができ、一層良好な美観を呈することができている。
【００８６】
また、この便座装置において、不透光部４３５は、第１不透光部４３５ｍと、第１不透光部４３５ｍとは異なる色の第２不透光部４３５ｎとからなることから、不透光部４３５を表面側と裏面側とで色違いにすることができている。このため、この便座装置は、一層良好な美観を呈することができている。
【００８７】
なお、図１３に示すように、別々に配設された表面側照射光源４３４ｍ及び裏面側照射光源４３４ｎの代わりに、表面側透光部４３３ｍ及び裏面側透光部４３３ｍを同時に照射可能な光源４３４を採用しても良い。この場合、表面側透光部４３３ｍ及び裏面側透光部４３３ｎを別々に光らせることはできなくなるが、部品点数を削減することができ、製造コストの低廉化が可能となる。
【実施例５】
【００８８】
図１４に示すように、実施例５の便座装置は、実施例１の便座装置１における便座３０の代わりに、便座５３０を採用している。そして、便座５３０は、実施例１の便座３０の不透光部３５のみを半透明部５３５に置き換えたものである。その他の構成は、実施例１の便座装置１と同様であるので、説明は省く。
【００８９】
便蓋５３０は、表面側透光部３３の裏面側全体に設けられた半透明材料からなる半透明部５３５を有している。半透明部５３５を構成する半透明材料は、透明ＡＢＳ樹脂、環状オレフィンコポリマー樹脂、ＡＳ樹脂、アクリル樹脂、ポリカーボネート樹脂、ポリサルホン樹脂、その他透明樹脂材料に、マイカ等のパール顔料、ガラスフレーク若しくは金属箔粉顔料等の光輝性材料５３５ａを分散させた半透明な材料である。
【００９０】
このような構成である実施例５の便座装置も、便器９に固定されて便座２０及び便蓋５３０としての機能を発揮する。そして、この便座装置では、便蓋５３０が閉じた状態及び便蓋５３０が開いた状態において、表面側透光部３３の縁部に埋設されたＬＥＤからなる表面側照射光源３４が本体１０から給電されることにより発光し、表面側透光部３３内を照射する。このため、この便座装置も、実施例１の便座装置１と同様の作用効果を奏することができている。
【００９１】
また、この便座装置において、便蓋５３０は、表面側透光部３３の裏面側全体に設けられた半透明部５３５を有していることから、表面側照射光源３４から表面側透光部３３内に照射された光の一部が半透明部５３５内に分散された光揮性材料５３５ａによって乱反射され、より効果的に表面側透光部３３の全体を光らせることができている。さらに、表面側照射光源３４から表面側透光部３３内に照射された光の一部が半透明部５３５内を乱反射しながら裏面側に通過して、便蓋５３０の裏面側もほのかに光らせることができる。このため、この便器装置は、一層優れた美観を呈することができている。さらに、この便座装置は、半透明部５３５の存在により便蓋５３０の表面側又は裏面側の一方から他方が透けて見えてしまうことを回避することができ、この点においても優れた美観を呈することができている。なお、便座２０を便蓋５３０と同様の構成とした場合にも、同様の作用効果を奏することができる。
【実施例６】
【００９２】
実施例６の便座装置は、実施例１の便座装置１において、表面側照射光源３４と電源回路１５とを電気的に接続する配線１６の代わりに、図１５に示すように、１次コイル６１６ａと２次コイル６１６ｂとを設置し、電磁誘導によって表面側照射光源３４に給電するものである。その他の構成は、実施例１の便座装置１と同様であるので説明は省く。
【００９３】
１次コイル６１６ａは、支持軸１３の内部に配設され、本体１０の電源回路１５と電気的に接続されている。他方、２次コイル６１６ｂは、便蓋支持部３２の内部に配設され、表面側照射光源３４に電気的に接続されている。
【００９４】
そして、電源回路１５から１次コイル６１６ａに給電されると、電磁誘導により２次コイル６１６ｂにも電流が流れて表面側照射光源３４が発光するようになっている。
【００９５】
このような構成である実施例６の便座装置も、実施例１の便座装置１と同様の作用効果を奏することができている。
【００９６】
また、この便座装置は、非接触給電により、本体１０から表面側照射光源３４に直接給電するための配線１６が不要となっているので、便座２０及び便蓋３０の開閉機構を簡易な構造とすることができている。
【００９７】
なお、図１６に示すように、１次コイル６１６ａ及び２次コイル６１６ｂの代わりに、光給電用ＬＥＤ６１６ｃ及び光電変換素子６１６ｄを採用して、非接触給電をしてもよい。また、電気発熱体及び熱電変換素子による非接触給電を採用することも可能である。
【実施例７】
【００９８】
実施例７の便座装置７は、実施例６の便座装置における１次コイル６１６ａ及び２次コイル６１６ｂの代わりに、図１７に示すように、便座２０内に設けられる暖房用ヒータ２９の一部に１次コイル７１６ａを設置し、便蓋３０の裏面側の１次コイル７１６ａに対応する位置に２次コイル７１６ｂを設置し、電磁誘導によって表面側照射光源３４に給電するものである。その他の構成は、実施例６の便座装置と同様であるので説明は省く。
【００９９】
このような構成である実施例７の便座装置７も、実施例６の便座装置と同様の作用効果を奏することができている。
【０１００】
以上において、本発明を実施例１〜７に即して説明したが、本発明は上記実施例１〜７に制限されるものではなく、その趣旨を逸脱しない範囲で適宜変更して適用できることはいうまでもない。
【産業上の利用可能性】
【０１０１】
本発明は便座装置に利用可能である。
【図面の簡単な説明】
【０１０２】
【図１】実施例１の便座装置を示す斜視図である（便蓋が閉じた状態）。
【図２】実施例１の便座装置を示す斜視図である（便蓋が開いた状態）。
【図３】実施例１の便座装置を示す上面図である（便蓋が閉じた状態）。
【図４】実施例１の便座装置に係り、便蓋の断面図（図３のＩＶ−ＩＶ断面を示す）である。
【図５】実施例１の便座装置に係る便蓋及び実施例３の便座装置に係る便座の要部拡大断面図である。
【図６】実施例１の便座装置を示す側面図である（便蓋が閉じた状態で、便蓋の表面側が発光）。
【図７】実施例１の便座装置を示す側面図である（便蓋が開いた状態で、便蓋の表面側が発光）。
【図８】実施例２の便座装置に係り、便蓋の要部拡大断面図である。
【図９】実施例２の便座装置を示す側面図である（便蓋が閉じた状態で、便蓋の裏面側が発光）。
【図１０】実施例２の便座装置を示す側面図である（便蓋が開いた状態で、便蓋の裏面側が発光）。
【図１１】実施例３の便座装置を示す側面図である（便蓋が開いた状態で、便座の表面側が発光）。
【図１２】実施例４の便座装置に係り、便蓋の要部拡大断面図である。
【図１３】実施例４の便座装置に係り、変形例を示す便蓋の要部拡大断面図である。
【図１４】実施例５の便座装置に係り、便蓋の要部拡大断面図である。
【図１５】実施例６の便座装置に係り、便座便蓋軸支部及び便蓋支持部の要部拡大部分断面図である（図３のＺ部を示す）。
【図１６】実施例６の便座装置に係り、変形例を示す便座便蓋軸支部及び便蓋支持部の要部拡大部分断面図である（図３のＺ部を示す）。
【図１７】実施例７の便座装置を示す斜視図である。
【符号の説明】
【０１０３】
１、２、３、７…便座装置
９…便器
１０…本体
２０、３２０…便座
３０、２３０、４３０…便蓋
３３、３３３、４３３ｍ…表面側透光部
２３３、４３３ｎ…裏面側透光部
３４、３３４、４３４ｍ…表面側照射光源
２３４、４３４ｎ…裏面側照射光源
４３４…光源
３５、２３５、３３５、４３５…不透光部
４３５ｍ…第１不透光部
４３５ｎ…第２不透光部
５３５…半透明部
３９、３３９、４３９ｍ…表面側透光部の縁部の本体側の後端
２３９、４３９ｎ…裏面側透光部の縁部の本体側の後端
６１６ａ、７１６ａ…１次コイル
６１６ｂ、７１６ｂ…２次コイル
【図１】
2007319243.tif 000003
【図２】
2007319243.tif 000004
【図３】
2007319243.tif 000005
【図４】
2007319243.tif 000006
【図５】
2007319243.tif 000007
【図６】
2007319243.tif 000008
【図７】
2007319243.tif 000009
【図８】
2007319243.tif 000010
【図９】
2007319243.tif 000011
【図１０】
2007319243.tif 000012
【図１１】
2007319243.tif 000013
【図１２】
2007319243.tif 000014
【図１３】
2007319243.tif 000015
【図１４】
2007319243.tif 000016
【図１５】
2007319243.tif 000017
【図１６】
2007319243.tif 000018
【図１７】
2007319243.tif 000019